(57)【要約】【課題】畜舎内に設置した複数の送風装置を、畜舎の環境や家畜の収容頭数等に応じて、風量を任意に可変し、かつ、間引運転可能に駆動制御する装置を提供する。【解決手段】建屋内に所定の間隔を保って複数配設した送風装置２と、前記各送風装置２に駆動電力を供給する駆動電源１と、前記建屋内の所定位置に設けた温度検出センサ９と、前記温度検出センサ９にて検出された温度に対応して各送風装置２を同一または個別に設定した回転数により駆動制御させる温度制御手段及び前記温度検出センサにて検出した温度に関係なく回転数を任意に可変可能とした回転数制御手段と所要の送風装置２のみを駆動制御する間引運転制御手段とを具備したコントローラ７とによって構成したことを特徴とする。【選択図】        図２
2004204744.tif 000002
【特許請求の範囲】
【請求項１】
建屋内に所定の間隔を保って複数配設した送風装置と、前記各送風装置に駆動電力を供給する駆動電源と、前記建屋内の所定位置に設けた温度検出センサと、前記温度検出センサにて検出された温度に対応して各送風装置を、同一または個別に設定した回転数により駆動制御させる温度制御手段及び前記温度検出センサにて検出した温度に関係なく回転数を任意に可変して駆動する回転数制御手段と更に所要の送風装置のみを制御して駆動する間引運転制御手段とを具備したコントローラとによって構成したことを特徴とする送風装置の駆動制御装置。
【請求項２】
前記コントローラに具備した温度制御手段は、建屋内の温度変化を個々にパターン化して複数の温度パターンを設定し、各送風装置を、建屋内の温度に対応する温度パターンにより設定された回転数にて回転させるようにした温度制御パターンを有する温度制御パターンを具備して構成したことを特徴とする請求項１記載の送風装置の駆動制御装置。
【請求項３】
前記温度制御手段は、建屋内の温度変化を個々にパターン化して複数の温度パターンを設定し、各送風装置を、すべて建屋内の温度に対応する温度パターンにて設定された回転数にて回転させるようにした温度制御パターンを有する一括制御自動運転機能と、前記建屋内の温度変化を個々にパターン化して複数の温度パターンを設定し、各送風装置の回転数を、それぞれ個別に設定した所定の温度パターンの温度に対応して個別に可変制御して回転させるようにした温度制御パターンを有する個別制御自動運転機能とを具備して構成したことを特徴とする請求項２記載の送風装置の駆動制御装置。
【請求項４】
前記コントローラに具備した回転数制御手段は、建屋内に設置した各送風装置の回転数を複数段階に設定し、前記各送風装置を、建屋内の温度に関係なく事前に設定した所定の回転数にて回転させるようにした制御手段を具備して構成したことを特徴とする請求項１記載の送風装置の駆動制御装置。
【請求項５】
前記制御手段は、建屋内に設置した各送風装置の回転数を複数段階に設定し、前記各送風装置を、すべて建屋内の温度に関係なく事前に設定した所定の回転数にて回転させるようにした一括制御手動運転機能と、前記建屋内に設置した各送風装置の回転数を複数の回転数が選択できるように設定して前記各送風装置を、それぞれ個別に、かつ、温度に関係なく事前に設定した所定の回転数にて回転させるようにした個別制御手動運転機能とを具備して構成したことを特徴とする請求項４記載の送風装置の駆動制御装置。
【請求項６】
前記コントローラに具備した間引運転制御手段は、建屋内に設置した各送風装置において、事前に選択した送風装置の運転を停止させる運転停止制御手段を具備して構成したことを特徴とする請求項１記載の送風装置の駆動制御装置。
【請求項７】
前記コントローラは、建屋内の温度変化を個々にパターン化して複数の温度パターンを設定して各送風装置を、建屋内の温度に対応する温度パターンにより設定された回転数にて回転させるようにした温度制御パターンを備えた温度制御手段と、建屋内の各送風装置において事前に選択した送風装置の運転を停止させる運転停止手段を備えた間引運転制御手段とを具備して構成したことを特徴とする請求項１記載の送風装置の駆動制御装置。
【請求項８】
前記コントローラは、建屋内に設置した各送風装置の回転数を複数段階に設定し、前記各送風装置を、建屋内の温度に関係なく事前に設定した所定の回転数にて回転させるようにした制御手段を備えた回転数制御手段と、建屋内の各送風装置において事前に選択した送風装置の運転を停止させる運転停止手段を備えた間引運転制御手段とを具備して構成したことを特徴とする請求項1記載の送風装置の駆動制御装置。
【請求項９】
前記コントローラは、建屋内の温度変化を個々にパターン化して複数の温度パターンを設定して各送風装置を、建屋内の温度に対応する温度パターンを設定して各送風装置を、建屋内の温度に対応する温度パターンにより設定された回転数にて回転させるようにした複数の温度パターンを有する温度制御パターンと、建屋内の温度に関係なく事前に設定した所定の回転数にて回転させるようにした制御手段と、更に、建屋内に設置した送風装置において事前に選択した送風装置のみの運転を停止させる運転停止手段とを具備して構成したことを特徴とする請求項１記載の送風装置の駆動制御装置。
【発明の詳細な説明】
【０００１】
【発明の属する技術分野】
本発明は、建屋内に複数台配設した送風装置を畜舎内の温度等の、環境等を考慮して、所定の風量が得られる回転速度及び効率的な駆動を可能とした送風装置の駆動制御装置の改良に関する。
【０００２】
【従来技術】
従来から、例えば、牛舎，豚舎その他畜舎には、建屋の面積に応じて複数の送風装置（大形換気扇）が壁面に取付けられたり、天井から吊設された状態で設置されている。これは、夏場から秋にかけて家畜の暑さに対する疲労（夏ばて）を防ぐとともに、晩秋や初夏における日中と朝・夕方の温度差を解消して家畜が風邪をひかぬようにしたり、あるいは、畜舎の床に敷きつめたわらやおがくずからなる敷物を乾燥させたり、畜舎内から糞尿や家畜の体臭等から発する悪臭を屋外に排出し、常に畜舎内の飼育環境を良好に維持して家畜を良好な健康状態で飼育するために行われている（例えば、特許文献１参照）。
【０００３】
前記の畜舎用送風装置は、畜舎内をその長手方向に対して複数のブロックに仮想分割し、各ブロックの畜舎内には、該畜舎内の環境状態を感知する温度センサ等のセンサを設置するとともに、各ブロック毎に、そのブロック内の畜舎内を換気する換気扇（送風装置）を畜舎の長手方向の側壁に設置し、各ブロック毎の換気扇の回転数を制御するインバータを各ブロック毎に設置し、各ブロック毎のセンサから送出されるデータを目標データと比較してインバータに伝達する子シーケンサを各ブロック毎に設け、各ブロック毎に独立して換気を行うようにし、更に、畜舎内の天井壁に畜舎の長手方向に対して空気流出用のスリットを設け、換気扇から圧送空気をスリットより畜舎内に送るようにして、畜舎内全域の換気効率を良好にし、畜舎内の温度を所定温度に維持するようにしていた。
【０００４】
【特許文献】
特公平３−６２９７８号（第１〜２頁，第２図）
【０００５】
【発明が解決しようとする課題】
前述した畜舎用送風装置においては、換気扇の回転数を変化させることによって畜舎内を所定温度に維持するようにしているので、即ち、畜舎内の温度に対応して換気扇を一律の回転数で回転させるように構成されているため、例えば、畜舎内で同種の親牛ばかりを飼育したり、家畜の放牧時畜舎内には家畜が存在しないとき、更には、年間を通して温度の変化が少ない地域であれば、畜舎の換気を良好に行うことが可能である。
【０００６】
しかし、畜舎を季節により寒暖の違いが著しい場所に設置したり、親牛と子牛とを同居させて飼育したり、あるいは、畜舎内の一部にのみ家畜を収容する場合等、畜舎の設置場所をはじめ、家畜の飼育状況、季節による寒暖の差異等を勘案することなく、換気扇を単に畜舎内の温度に追随させてその回転数を制御するようにしていただけであるので、家畜の入れ替え時とか、家畜の成長等を考慮しての換気扇の回転数を制御するようには構成されていないため、家畜の生育に対応しての畜舎の換気機能とか、前記生育をはじめ畜舎周辺の環境に対して換気扇の回転数制御を適正に行うことができないという問題があった。また、畜舎内にいつも牛等の家畜が定頭数収容されていない場合、即ち、家畜のいない場所でも換気扇を駆動している場合があるため、エネルギー費用が無駄になるばかりでなく、不要な換気扇は作業者が脚立等を用いて手作業等により停止させる等していたので、非常に手間がかかり面倒であるとともに、高所作業が伴うため、非常に危険であり、安全上問題があった。
【０００７】
本発明は、前記の問題点に鑑み、畜舎内を家畜の生育状況や畜舎内外の環境等に良好に適合させ、かつ、省エネ機能を具備した送風装置の駆動制御装置を提供することを目的とする。
【０００８】
【課題を解決するための手段】
請求項１記載の発明は、建屋内に所定の間隔を保って複数配設した送風装置と、前記各送風装置に駆動電力を供給する駆動電源と、前記建屋内の所定位置に設けた温度検出センサと、前記温度検出センサにて検出された温度に対応して各送風装置を、同一または個別に設定した回転数により駆動制御させる温度制御手段及び前記温度検出センサにて検出した温度に関係なく回転数を任意に可変して駆動する回転数制御手段と更に所要の送風装置のみを制御して駆動する間引運転制御手段とを具備したコントローラとによって構成したことを特徴とする。
【０００９】
請求項２記載の発明は、請求項１記載の送風装置の駆動制御装置において、前記コントローラに具備した温度制御手段は、建屋内の温度変化を個々にパターン化して複数の温度パターンを設定し、各送風装置を、建屋内の温度に対応する温度パターンにより設定された回転数にて回転させるようにした温度制御パターンを具備して構成したことを特徴とする。
【００１０】
請求項３記載の発明は、請求項２記載の送風装置の駆動制御装置において、前記温度制御手段は、建屋内の温度変化を個々にパターン化して複数の温度パターンを設定し、各送風装置を、すべて建屋内の温度に対応する温度パターンにて設定された回転数にて回転させるようにした温度制御パターンを有する一括制御自動運転機能と、前記建屋内の温度変化を個々にパターン化して複数の温度パターンを設定し、各送風装置の回転数を、それぞれ個別に設定した所定の温度パターンの温度に対応して個別に可変制御して回転させるようにした温度制御パターンを有する個別制御自動運転機能とを具備して構成したことを特徴とする。
【００１１】
請求項４記載の発明は、請求項１記載の送風装置の駆動制御装置において、前記コントローラに具備した回転数制御手段は、建屋内に設置した各送風装置の回転数を複数段階に設定し、前記各送風装置を、建屋内の温度に関係なく事前に設定した所定の回転数にて回転させるようにした制御手段を具備して構成したことを特徴とする。
【００１２】
請求項５記載の発明は、請求項４記載の送風装置の駆動制御装置において、前記回転数制御手段は、建屋内に設置した各送風装置の回転数を複数段階に設定し、前記各送風装置を、すべて建屋内の温度に関係なく事前に設定した所定の回転数にて回転させるようにした一括制御手動運転機能と、前記建屋内に設置した各送風装置の回転数を複数の回転数が選択できるように設定して前記各送風装置を、それぞれ個別に、かつ、温度に関係なく事前に設定した所定の回転数にて回転させるようにした個別制御手動運転機能とを具備して構成したことを特徴とする。
【００１３】
請求項６記載の発明は、請求項１記載の送風装置の駆動制御装置において、前記コントローラに具備した間引運転制御手段は、建屋内に設置した各送風装置において、事前に選択した送風装置の運転を停止させる運転停止制御手段を具備して構成したことを特徴とする。
【００１４】
請求項７記載の発明は、請求項１記載の送風装置の駆動制御装置において、前記コントローラは、建屋内の温度変化を個々にパターン化して複数の温度パターンを設定して各送風装置を、建屋内の温度に対応する温度パターンにより設定された回転数にて回転させるようにした温度制御パターンを備えた温度制御手段と、建屋内の各送風装置において事前に選択した送風装置の運転を停止させる運転停止手段を備えた間引運転制御手段とを具備して構成したことを特徴とする。
【００１５】
請求項８記載の発明は、請求項１記載の送風装置の駆動制御装置において、前記コントローラは、建屋内に設置した各送風装置の回転数を複数段階に設定し、前記各送風装置を、建屋内の温度に関係なく事前に設定した所定の回転数にて回転させるようにした制御手段を備えた回転数制御手段と、建屋内の各送風装置において事前に選択した送風装置の運転を停止させる運転停止手段を備えた間引運転制御手段とを具備して構成したことを特徴とする。
【００１６】
請求項９記載の発明は、請求項１記載の送風装置の駆動制御装置において、前記コントローラは、建屋内の温度変化を個々にパターン化して複数の温度パターンを設定して各送風装置を、建屋内の温度に対応する温度パターンにより設定された回転数にて回転させるようにした温度パターンと、建屋内の温度に関係なく事前に設定した所定の回転数にて回転させるようにした制御手段と、更に、建屋内に設置した送風装置において事前に選択した送風装置のみの運転を停止させる運転停止手段とを具備して構成したことを特徴とする。
【００１７】
本発明は、以上説明したように構成することにより、複数の送風装置を、例えば、一つの温度検出センサとコントローラを使用し、かつ、コントローラには、複数の送風装置の回転数を温度に追随させて一括、あるいは、個別に制御する温度制御手段と、温度に関係なく複数の送風装置の回転数を一括、または、個別に制御する回転数制御手段とを具備して構成し、更に、前記温度制御手段には、環境に適応した所要の温度制御パターンを備え、かつ、前記温度制御パターンは、適正な複数の温度パターンを備えてこれら温度パターンを必要に応じて個別に選択することにより、常に送風装置を、設置場所の環境や飼育する家畜に応じた回転数（風量）を任意に選択して駆動するように構成したので、次に示すような効果を奏する。
【００１８】
本発明においては、畜舎の環境条件や飼育する家畜の種別に順応して複数の送風装置の回転数を一括・個別、あるいは、自動・手動にて任意に選択することが可能であるため、家畜を常に最適な換気条件下で飼育ができることはもとより、畜舎内を家畜の親子とか大・小に関係なく飼育に適した環境に維持することができるので、家畜の生育を季節に関係することなく円滑・良好に行うことができる。
【００１９】
また、本発明は、前記複数の送風装置を畜舎の温度や環境条件において回転数を任意に設定することができることはもとより、複数の送風装置において、送風を不要とする送風装置においては、事前にコントローラを操作することにより、即ち、回転を必要とする送風装置のみを駆動させることができる、所謂、間引運転制御手段が具備されているため、複数の送風装置はコントローラにおいて送風を必要とする部位のみに畜舎の環境に対応して自動的に行うことができるので、複数の送風装置を効率的に、しかも、省エネルギーにより駆動制御することが可能なため、送風装置を家畜の飼育に適した風量で円滑・良好に、かつ、経済的に駆動制御することができるという利点も備えている。
【００２０】
【発明の実施の形態】
以下、本発明の実施例を図１ないし図７によって説明する。図１は本発明の駆動制御装置によって駆動する送風装置を概略的に配置した構成図を示し、図１において、１は例えば、肉牛等の家畜を飼育する図示しない畜舎に配設した複数の送風装置２に駆動電力を供給するための駆動電源で、商用電源、あるいは、自家用発電装置により発電した電源等からなる。そして、前記配置された複数の送風装置２は、前記駆動電源１に対してそれぞれ電力線１ａを介して並列接続されている。
【００２１】
そして、前記駆動電源１に並列接続された各送風装置２は、図１に示すように、電動機３に取付けた送風ファン４と、この送風ファン４を回転可能に取付けた前記電動機３を支持する送風枠体５とによって概略構成されている。６は前記駆動電源１に接続した操作盤を示し、この操作盤６は、基本的には、前記各送風装置２を一括あるいは個別に駆動制御するためのコントローラ７を内蔵して構成されている。また、図１に示す９は、畜舎内に取付けた温度検出センサを示し、この温度検出センサ９により検出された温度の信号は信号線９ａを介して前記コントローラ７に送出される。
【００２２】
前記操作盤６に内蔵したコントローラ７は、図２，３に示す操作盤６の操作部８に設けた各種スイッチ，設定キーによって任意に操作することができる。即ち、図３に示す操作部８には、送風装置２の運転／停止スイッチ２ａをはじめ、複数の各送風装置２を一括制御もしくは個別制御する一括／個別切換スイッチ２ｂ、各送風装置２を自動運転もしくは手動運転する自動／手動切換スイッチ２ｃ、各送風装置２の識別番号(以下、ＩＤ番号)・風量・後述する温度制御パターンに設けた複数の温度パターン・温度等を個別に設定する設定キー２ｄ1，２ｄ2、前記設定キー２ｄ1，２ｄ2にて設定した設定値を確定する確定キー２ｅ、風量を表示する風量レベルの表示ランプ２ｆ、設定した温度制御パターンの番号（Ｎｏ）を表示する表示ランプ２ｇ、送風装置２のＩＤ番号・温度設定値等を表示する表示器２ｈが具備されている。また、図３において、２ｉは複数の送風装置２のうち、運転しない（送風を行わない）送風装置２を選択して、運転停止を行うための間引設定キーを示す。
【００２３】
コントローラ７は、図２に示すように、駆動制御装置を駆動制御するプログラムを格納した制御手段７ａと、温度制御パターンや風量に関するデータベースを格納した記憶手段７ｂと、表示ランプ２ｆ，２ｇ，表示器２ｈを点・消灯させるためのプログラムを格納した表示手段７ｃとによって構成されている。そして、前記コントローラ７は、前記操作部８に設けた各種スイッチ類，キー類を操作することにより、事前に設定した所要プログラムによって各送風装置２を、図示しない畜舎の環境や飼育する家畜等に対応して駆動制御させるようにしたもので、ある。つづいて、前記コントローラ７に具備した各手段７ａ〜７ｃに関係するプログラムやデータベースについて説明する。
【００２４】
はじめに、制御手段７ａに具備したプログラムについて説明する。
運転指令
（１）運転／停止機能
送風装置２の駆動制御条件を設定した後に、スイッチ操作にて各送風装置２に通電を行い駆動させたり、停止させたりする機能を具備したプログラム。
（２）一括制御の自動運転機能
各送風装置２は、温度の変化によって風量（回転数）を変化させる温度制御パターンを構成する複数の温度パターンから所定の温度パターンを選択することにより、送風装置２をすべて同じ風量で、かつ、温度により風量を変化させて駆動させる機能を具備したプログラム。
（３）個別制御の手動運転機能
風量を送風装置２毎に個別に設定し、温度に関係なく各送風装置を、それぞれ設定した風量で駆動させる機能を具備したプログラム。
（４）一括制御の手動運転機能
各送風装置２は、温度に関係なくすべて所定の設定された同一風量で駆動させる機能を具備したプログラム。
（５）個別制御の自動運転機能
各送風装置２は、温度の変化によって風量を変化させる温度制御パターンを構成する複数の温度パターンから所定の温度パターンを個別に選択して設定し、送風装置２を個別に、かつ、温度に対応して風量を自動的に変化させて駆動させる機能を具備したプログラム。
（６）運転／停止スイッチ操作機能
送風装置２の運転中に、運転手段を変更する場合は、あらかじめ運転・停止スイッチ２ａを一旦ＯＦＦしない限り、運転手段を変更できない機能を具備したプログラム。
（７）駆動電源ＯＦＦ機能
送風装置２の運転中に停電等により送風装置２が自動停止した場合、停電の復旧等により運転を再開するとき送風装置２は、運転停止前の設定条件により再始動可能とした機能を具備するプログラム。
【００２５】
操作指令
（１）一括／個別切替スイッチ切替機能
一括／個別切替スイッチ２ｂを１回押す毎に、複数の送風装置２の運転を一括制御するためのプログラムと、複数の送風装置２を個別制御するためのプログラムを交互に選択することができる機能を具備したプログラム。
（２）自動／手動切替スイッチ切替機能
自動／手動切替スイッチ２ｃを１回押す毎に、複数の送風装置２を自動運転するためのプログラムと、手動運転するためのプログラムとを交互に選択することができる機能を具備したプログラム。
【００２６】
（３）設定キーの切替機能と確定キーの確定機能
設定キー２ｄ1，２ｄ2の操作により、後述する温度制御パターンに具備した所定の温度パターンと送風装置２の風量，各送風装置２のＩＤ番号，温度（送風装置２の回転数を決める温度）を個別に設定する機能を具備したプログラム。また、前記設定した設定値を確定キー２ｅの操作により確定させるプログラム。
【００２７】
前記設定キー２ｄ1，２ｄ2、確定キー２ｅを操作するプログラムは、前記一括／個別切替スイッチ２ｂ及び自動／手動切替スイッチ２ｃを機能させる各プログラムと連系し、例えば、各送風装置２の運転を一括制御で自動運転を選択した場合、設定キー２ｄ1，２ｄ2の操作は、これを１回押す毎に複数の温度パターンを有する温度制御パターンの中から所定の温度パターンを選択して設定することができる。即ち、図３に示す設定キー２ｄ2を例えば、３回押すと、温度制御パターンに設けた３番目の温度パターンを示すコントローラ７の表示手段７ｃであるＰ３の表示ランプ２ｇが点灯し、温度パターンは「３」を選択したことになる。そして、この選択が正しければ、確定キー２ｅを１回押すことにより、各送風装置２の温度パターンはすべて「３」にて確定される。この場合は、各送風装置２をすべて温度パターン「３」で設定された風量が得られるように駆動させる。温度パターンを変更する場合は、改めて設定キー２ｄ1，２ｄ2を選択して、所定の温度パターン（Ｐ１〜Ｐ５）を選択してその表示ランプ２ｇを点灯させることにより、温度パターンの設定変更が可能となる。
【００２８】
一方、各送風装置２の運転を一括制御で手動運転を選択した場合は、各送風装置２の風量レベルを選択することができる。この場合は、設定キー２ｄ1，２ｄ2を操作し、風量レベルを示す表示ランプ２ｆを所定の風量が得られる位置を選択して点灯させることにより、各送風装置２をすべて温度に関係なく、前記選択した風量で駆動させる。設定キー２ｄ1，２ｄ2による設定が終了したら、確定キー２ｅにて前記設定条件を確定させる。
【００２９】
また、各送風装置２の運転を個別制御で自動運転を選択した場合は、最初に設定キー２ｄ1または２ｄ2の操作により、温度制御パターンにおいて所定の温度パターンを変更する送風装置２のＩＤ番号を表示器２ｈに表示し、表示したＩＤ番号が正しければそのＩＤ番号を確定キー２ｅを操作して確定し、次に温度パターンを前記同様設定キー２ｄ1，２ｄ2を操作して、所定の温度パターンの表示ランプ２ｇが点灯する位置に設定する。例えば、図３のＰ４の表示ランプ２ｇが点灯した位置とすれば、温度パターンは「４」が設定されたことになる。この設定でよければ、確定キー２ｅを押して、所要送風装置２の温度パターンを「４」と設定する。この温度パターンを「４」に設定することは、後述する温度制御パターンの項目で詳述するが、前記温度制御パターンとは、畜舎の環境条件に対応してそれぞれ設定したもので、１つの温度制御パターンには、例えば、最低５つの温度パターン（１〜５）が設定されており、送風装置２の風量（回転数）を、温度検出センサ９にて検出した畜舎の温度が事前に設定した温度パターン「４」の温度範囲内に該当すると、その検出温度に対応して温度パターン「４」に事前にプログラムされた風量に設定されて、送風装置２を前記設定された温度パターン「４」の風量で駆動させる。以後残りの送風装置２を順次前記同様に１台ずつ（変更不要の送風装置２はそのままでよい）温度制御パターンに設けた複数の温度パターンから所定の温度パターンを選択して設定することにより、各送風装置２は、それぞれ必要に応じて設定された温度パターンにより回転数が設定されて駆動するものである。
【００３０】
更に、個別制御の手動運転を選択した場合は、設定キー２ｄ1，２ｄ2の操作により風量を変更する送風装置２を選択し、それを確定キー２ｅにより確定した後、再び設定キー２ｄ1，２ｄ2により事前に設定された風量を表示する風量レベルの表示ランプ２ｆを設定位置で点灯させることにより、送風装置２は前記点灯した表示ランプ２ｆのところに設定された風量（回転数）で駆動するように設定される。この風量レベルの設定についても、後述する風量レベルの項目で詳述するが、前記送風装置２をそれぞれ個別に風量を設定すると、各送風装置２はそれぞれ温度に関係なく、設定された風量レベルにて個々に駆動する。なお、風量変更を行わない送風装置２においては、温度制御パターンの場合と同様に、風量変更を行わないことは当然である。
【００３１】
（４）間引運転設定機能
操作部８に設けた間引設定キー２ｉの操作により、複数の送風装置２において、運転を必要としない送風装置２、即ち、運転を停止させる送風装置２が存在（必要）する場合、運転を停止させる送風装置２を選択することにより、選択した送風装置２への通電を阻止する機能を具備したプログラム。
このプログラムにおいては、畜舎に複数設置した送風装置２において、例えば、送風装置２を設置した場所に家畜がいない場合とか、家畜が子牛で送風によってその生育に支障がある場合は、省エネ等もかねて送風装置２の運転を停止させるために設けたもので、複数の送風装置２を間引運転する場合に活用するものである。この間引運転機能を設けることにより、複数の送風装置２は常に送風を必要とする部位のみに送風を行うことができるので、家畜の生育が効率的に行い得、かつ、エネルギー使用量を良好に軽減することが可能となる。操作は、設定キー２ｄ1または２ｄ2にて選択した送風装置２のＩＤ番号を表示器２ｈに表示させ、その送風装置２が運転を必要としないときは、間引設定キー２ｉを押し、かつ、確定キー２ｅを押すことにより、表示器２ｈに表示された送風装置２は、通電が断たれ運転を停止する。なお、前記間引運転機能を有するプログラムには、間引運転を設定した送風装置が、運転／停止スイッチ２ａをＯＦＦした場合、リセットされて次回の運転時に際しては、間引運転を再セットしない限り、間引運転を継続することができないプログラムも設定されている。
【００３２】
選択指令
選択指令とは、各送風装置２において、前記した温度制御パターンと風量を選択する場合に必要とするもので、温度制御パターンについては図５，６で示す温度制御パターンが、それぞれ個々の複数の温度パターンをデータベース化して事前にコントローラ７の記憶手段７ｂに格納されている。また、風量の設定についても、事前に複数の風量（本例では１０段階）が選択できる風量をデータベース化して記憶手段７ｂに格納されている。
【００３３】
前記した温度制御パターンは、例えば、図５，６に示すように、畜舎の環境や温度に対応して送風装置２の風量を任意に選択して家畜の生育環境に即応して良好に飼育させるために設けたものである。前記温度制御パターンは、設定できる温度のパターンが本例では５種類あり、各温度パターンにはそれぞれの温度パターン毎に所定の温度範囲に応じて最小風量と最大風量が設定されている。例えば、図５に示す温度制御パターンにおいて、温度パターン「１」を選択した場合、畜舎内の雰囲気温度が温度検出センサ９により検出されその温度が、例えば、０℃〜２０℃の範囲であれば、送風装置２の風量（回転数）は図５（ｂ）に示す温度と回転数の関係を示すパターン図で判るように、毎分約１００〜６００回転の間で回転するように設定されている。即ち、温度が０℃〜２０℃の間で可変する場合は、コントローラ７内に設けた図示しない計算手段により、温度が変化する毎に回転数を演算処理し、温度に適応した回転数により送風装置２を駆動させる。なお、畜舎内の雰囲気温度が０℃を下回った場合とか、逆に、２０℃を上回ったときにおいても、温度パターン「１」にて設定された最小風量及び最大風量の範囲で送風装置２を駆動させることは云うまでもない。また、温度パターン「２」，「３」を選択した場合も、最小，最大風量は、パターン選択表に示す該当する温度範囲内において、送風装置２を温度と回転数との関係を示すパターン図（以下、単にパターン図という）に示されている回転数にて得られることは云うまでもない。
【００３４】
（１）温度制御パターン（図５の場合）
この温度制御パターンは、比較的暖かい地域に設置した畜舎に送風装置２を設けた場合の温度パターンの選択表を示すもので、最小風量と最大風量との温度差は２０℃に設定されている。これは、温暖地での使用ということで温度差が大きくても余り回転数に差を設けることなく、即ち、昼間時に温度上昇が早くなることを考慮し、温度パターン「１」では２０℃に達した時点で６００回転／分得られるようにプログラムされている。これは、夏の暑さ，冬の寒さを考えてのものである。即ち、暑さ対策としては気温が上昇してから変更するのではなく、早めに低い温度パターンを選択することにより日中の温度上昇を予測して最大風量が早く得られるように設定し、逆に寒い時期は、比較的温度の高い温度パターンを選択することにより、低温時に最大風量が得られるのを遅らせることによって、風量を畜舎内の雰囲気温度に対応させるようにしたものである。
【００３５】
（２）温度制御パターン（図６の場合）
この温度制御パターンは、前記温暖地の場合とは逆に、寒冷地の畜舎に適用するパターンである。この場合は、図６の（ａ），（ｂ）に示されているように、各温度パターンにおける最小風量と最大風量との温度差は１６〜２４℃に設定し、各温度パターンにおける回転数においても低温使用に適するように余り大きな差を設けないように設定したものである。従って、例えば、冬季においては、畜舎の雰囲気温度に余り対応させず、温度パターンの設定は最小風量を高いところの温度に設定することにより、風量が温度に追随して上昇するのを制限するようにし、また、夏季においては、気温の上昇範囲を考慮し、最大の温度パターン「５」を選択した場合でも回転数は温暖地に比べやや低いところに設定することにより、家畜にとって畜舎内を快適環境に維持するようにした。
【００３６】
以上説明した図５，６に示す温度制御パターンは、温暖地と寒冷地に設置する畜舎に適用する標準的な送風装置２の風量設定を行うための温度パターンを示すもので、温暖地と寒冷地において、風量設定を同じでなくそれぞれ使い分けができるように風量を設定することにより、送風装置２の風量制御を畜舎の設置環境に対応して行うことを可能としたものである。なお、温度制御パターンの設定・確定については、操作指令のところで説明したので割愛する。
【００３７】
その他のプログラム
（１）表示器２ｈに送風装置２のＩＤ番号，温度制御パターン，風量を表示させるための機能を具備したプログラム。
（２）設定キー２ｄ1を操作した場合は、数字を大→小を選択し、設定キー２ｄ2を操作した場合は、逆に数字は小→大を選択するプログラム。
（３）表示ランプ２ｇ，２ｆは、設定キー２ｄ1，２ｄ2を１回操作する毎に、操作により選択したランプを点灯し、選択を解除されたランプは消灯する機能を具備したプログラム。
【００３８】
なお、コントローラ７の記憶手段７ｂにデータベース化して格納した風量の選択パターンは、本実施例においては、例えば、１０段階に設定されており、最大風量は送風装置２の回転数を約６００回転／分に設定し、最小風量は約１００回転／分に設定され、これら最大・最小の風量をベースとして、送風装置２の回転数を１０段階に、即ち、５０回転ずつ１０段階で切替えることにより、畜舎の温度変化，あるいは、温度に関係なく風量を可変制御できるように、回転数制御手段にてプログラム設定されている。
【００３９】
次に、前記複数の送風装置２には、コントローラ７からの駆動信号にて駆動制御される図示しない制御装置１０が電動機３の背部に一体的に取付けられている。この制御装置１０は、コントローラ７からの駆動信号により内蔵されている制御プログラムが作動し、コントローラ７からの駆動指令を図示しないインバータに制御信号として出力し、インバータを駆動制御して電動機３をコントローラ７からの駆動指令にて運転制御するように構成されている。
【００４０】
そして、前記各制御装置１０は、操作盤６のコントローラ７とは、信号線６ａを介してそれぞれ並列接続されている。各送風装置２は、コントローラ７からの駆動信号に従って、インバータを駆動制御して電動機３をコントローラ７にて設定した風量に相当する回転速度で回転させ、送風ファン４により事前に設定した適量の風を生成し送風する。
【００４１】
次に、本発明の動作について説明する。送風装置２は、図１に示すように、図示しない畜舎に複数台、例えば、一定の間隔を保って横方向に、１または複数列に設置（吊設）した実施例（この配置に限定するものではない）について説明する。
【００４２】
最初に、畜舎に設置した複数の送風装置２の運転制御について説明する。運転制御は操作盤６に設けた操作部８の操作スイッチ類、設定キー等を畜舎の環境条件をベースにして操作することにより、複数の送風装置２の運転制御を行うものである。運転制御に先立ち、送風装置２を駆動制御する操作盤６には、送風装置２を温度に対応して、あるいは、温度に関係なく風量を制御したり、更には、送風を必要とする送風装置２のみを駆動制御（間引制御）するコントローラ７が具備されており、このコントローラ７には、畜舎の設置場所に適合する温度制御パターンを備えた温度制御手段と、送風装置２の風量を適宜可変するための回転数制御手段と、所要の送風装置２のみを駆動させる間引運転制御手段とが、コントローラ７を構成する制御手段７ａ，記憶手段７ｂ，表示手段７ｃに具備されている。
【００４３】
そして、本発明においては、例えば、図６に示す温度制御パターンを記憶手段７ｂに組み込んだ寒冷地標準使用のコントローラ７を備えた操作盤６にて複数の送風装置２を駆動制御する場合について説明する。図６に示す温度制御パターンは、送風装置２を寒冷地にて使用する場合の例であり、寒冷地は、一般に夏は涼しく、冬は寒いため、送風装置２は、これらを考慮してその風量を温暖地使用（図５参照）に比べて、一般に低く（低回転数）設定されている。
【００４４】
前記寒冷地使用の温度制御パターンを組み込んだコントローラ７にて複数の送風装置２を駆動制御する場合について説明する。前記送風装置２の駆動制御には、既述したように、４つの制御方式があり、どれを選択するかについては、季節や家畜の種類・収容頭数、その日の天候（温度・湿度）等を考慮して判断することになる。
【００４５】
即ち、図４のフローチャート図に示すように、ステップＳ1により複数の送風装置２の運転手段（運転制御機能）を設定する場合は、ステップＳ14により運転／停止スイッチ２ａの状況を把握し、停止中の場合はステップＳ2に移行して複数の送風装置２を一括制御するか、個別制御するかを判断し、一括制御する場合はステップＳ3に移行し、図３に示す一括／個別切替スイッチ２ｂを１回押して一括制御運転を設定する。つづいて、ステップＳ4に移行し、前記一括制御運転において複数の送風装置２を自動制御運転するか、手動制御運転するかを判断し、自動制御運転を選択した場合は、図３に示す自動／個別切替スイッチ２ｃを１回押し自動制御運転を設定する。
【００４６】
一方、図４のステップＳ14により運転／停止スイッチ２ｂの運転側を誤って押圧した場合、表示手段７ｃは、この段階では運転手段が選択されていないので、表示することはない。また、図３のステップＳ2において個別制御運転を選択する場合は、一括／個別切替スイッチ２ｂを２回押すことにより、ステップＳ5にて個別制御運転を設定する。前記個別制御運転を設定した後、自動／手動切替スイッチ２ｃを操作し（１回の押動操作は自動制御運転，２回の押動操作は手動制御運転）、ステップＳ6により複数の送風装置２の運転を自動または手動で駆動制御するかを決定する。
【００４７】
前記のように、図４のステップＳ4において自動制御運転を選択した場合は、図３の設定キー２ｄ1，２ｄ2，確定キー２ｅを操作し、図６の（ａ）に示すパターン選択表から所定の温度パターンをステップＳ7にて選択する。一方、ステップＳ4で手動制御運転を選択した場合は、ステップＳ9により複数の送風装置２の回転数を設定する。前記ステップＳ7，Ｓ9による設定は、すべて設定キー２ｄ1，２ｄ2，確定キー２ｅにより所定事項を設定し確定する。ステップＳ8は前記設定した事項を図３に示す表示器２ｈにて表示するものである。また、ステップＳ6により自動制御運転を選択したときは、ステップＳ10に移行し、一方、手動制御運転を選択したときはステップＳ11に移行し、それぞれ前記のように、設定キー２ｄ1，２ｄ2及び確定キー２ｅを用いて、所定の設定事項を選択し確定する。
【００４８】
前記のようにして複数の送風装置２の運転手段を確定（４つの運転制御機能のうち１つを選択し確定した場合）した後、ステップＳ12において図３に示す運転／停止スイッチ２ａを押して、複数の送風装置２を前記設定した運転制御機能により制御し駆動させるものである。送風装置２の運転を終了するときは、ステップＳ13において運転／停止スイッチ２ａを押すことにより、複数の送風装置２の運転をすべて停止させるものである。
【００４９】
次に、前記４つの運転制御機能における操作を図２，３により説明する。ここで説明する４つの運転制御機能については、既に構成の段階で概略的に説明したので、詳細説明は省略する。最初に、複数の送風装置２を一括自動制御運転を行う場合は、図３に示す一括／個別切替スイッチ２ｂを１回投入して一括運転を確定し、次に、自動／手動切替スイッチ２ｃを１回投入して自動運転を確定する。つづいて、図３に示す設定キー２ｄ1，２ｄ2と確定キー２ｅを用いて図６に示す温度制御パターンによって所定の温度パターンを選択しそれを確定した後、運転／停止スイッチ２ａを投入して複数の送風装置２を前記設定された温度制御パターンに従って、すべて同一風量（回転数）が得られるように制御して駆動させる。
【００５０】
つづいて、複数の送風装置２を一括手動制御運転を行う場合は、一括／個別切替スイッチ２ｂを操作（２回押す）して一括制御運転を確定し、自動／手動切替スイッチ２ｃを操作（２回押す）して手動運転を確定する。この後、設定キー２ｄ1，２ｄ2，確定キー２ｅを用いて、複数の送風装置２の風量（回転数）を事前に設けた複数の風量の中から、所定の風量を選択して設定し、確定する。前記風量の設定が終了したら、運転／停止スイッチ２ａを投入して複数の送風装置２をすべて前記設定した風量が得られる回転数で駆動する。
【００５１】
次に複数の送風装置２を個別自動制御運転を行う場合は、設定キー２ｄ1，２ｄ2を用いて複数の送風装置２を１台ずつ温度制御パターンに設けた所定の温度パターンを選択して設定する。これは、畜舎に配設した送風装置２は、その配設場所の温度とか、家畜の種類、畜舎内の乾・湿状況等に対応して風量を選択することによって、家畜の飼育とか畜舎の環境を良好に維持するためである。このように、複数の送風装置２を個別に制御することにより、畜舎の換気，環境状態を良好に維持することができる。
【００５２】
更に、複数の送風装置２を温度に関係なく、個別に風量を設定するための個別手動制御手段は、送風装置２の風量をそれぞれ設定キー２ｄ1，２ｄ2を用いて個別に設定する。これは、畜舎内の特定場所が、例えば、非常に暑いとか、風通しの悪い場所とか、湿気が非常に多い場合等、畜舎内において環境に大きな差異がある場合、その部位に配設した送風装置２のみを他の部位に配置したものに比べ、風量を多くすることにより、あるいは、逆に風量を少なくすることにより、畜舎の環境をバランス良く維持するため等に用いるものである。
【００５３】
つづいて、複数の送風装置２において、その運転を必要に応じて不要（例えば、運転を行う予定の送風装置２のところには家畜が収容されていない場合とか、あるいは、家畜、例えば、子牛等を親牛と離れて飼育する場合とか、体力が消耗していて送風を続けることによって風邪等の病気を引起すことが予測されるようなとき）とする場合は、図３に示す間引設定キー２ｉを操作することにより、送風運転を中止させる。
【００５４】
前記所定の送風装置２を間引運転する場合は、前記４つの運転制御機能のうち、どれか１つを選択した場合、例えば、図４において、一括制御設定（ステップＳ3）にて自動運転（ステップＳ4）を選択した場合、設定キー２ｄ1，２ｄ2を操作して運転を停止させる送風装置２を選択したら、つづいて、図４のステップＳ15により図３に示す間引設定キー２ｉを操作し、かつ、確定キー２ｅを操作することにより、前記選択した送風装置２は、間引運転の対象となり、運転／停止スイッチ２ａを投入しても通電されることがないため、送風を行うことはない。
【００５５】
これは、他の運転制御機能においても同様で、一括制御設定にて手動運転を、個別制御設定で自動または手動運転を選択した場合でも、前記同様に運転を必要としない送風装置２においては、所要の送風装置２を選択キー２ｄ1，２ｄ2により選択した時点で間引設定キー２ｉを操作することにより、図４のステップＳ16〜Ｓ18で示すように、簡易に運転停止操作（間引運転操作）を行うことができる。
【００５６】
また、送風装置２を間引運転する場合、前記間引設定キー２ｉを操作する実施例について説明したが、これに限定することなく、例えば、図７に示す温度制御パターンにおいて、複数の温度パターンの最後に設定したパターン「６」を、間引設定キー２ｉと同様に作用するように設け、運転を停止する送風装置２を選択した後、温度制御パターンに設けた間引用のパターン「６」を選択することにより、送風装置２における間引運転を設定するようにしてもよい。
【００５７】
本発明は、以上説明したように、畜舎に配設した複数の送風装置２を駆動する場合、操作盤６に設けた操作部８の各種スイッチ，設定キー等を操作して送風装置２を運転させるものである。その際に選択する運転手段は、畜舎の環境によって使用者が判断するものである。
【００５８】
今、例えば、畜舎が寒冷地に配置されておれば、操作盤６のコントローラ７には、図６に示す寒冷地に適した温度制御パターンのプログラムを組み込んだ温度制御手段，回転数制御手段，間引運転制御手段が標準品として具備されている。このため、畜舎の複数の送風装置２の運転に際しては、使用者はその日の天候、収容する家畜の数、種類、運転を中止する送風装置２等を考慮して運転制御機能を設定すればよい。
【００５９】
例えば、複数の送風装置２の運転に際し、天候は晴、気温は午前は約０〜１０℃、午後は１０〜１５℃で、かつ、収容する家畜は畜舎の定数である場合、送風装置２の運転手段は、一括自動制御運転を選択したとする。この制御運転を選択した場合、その操作は既に説明したように、一括／個別切替スイッチ２ｂを操作して一括制御にセットし、次に自動／手動切替スイッチ２ｃを操作して自動制御運転を選択する。つづいて、設定キー２ｄ1、または２ｄ2を操作し、図６（ａ）に示すパターン選択表においてその日の気温の状況から判断し、温度パターン１を選択し、確定キー２ｅにて確定する。この選択は表示ランプ２ｇ及び表示器２ｈに表示される。この後、運転／停止スイッチ２ａを投入することにより送風装置２を駆動する。
【００６０】
送風装置２が駆動した時点の気温（温度検出センサ９により検出した温度）が、例えば５℃とすれば、図６（ｂ）に示すパターン図に記した「１」にて判るように、各送風装置２はすべて約２００回転／１分間で回転していることになる。即ち、２００回転／分の風量が得られることになる。そして、時間の経過により気温が順次上昇し、例えば、１０℃となったとき、各送風装置２の風量（回転数）は約３００回転／分に上昇している。これは既に説明したように、気温の上昇に追随して送風装置２の電動機３の回転数を制御するプログラムから作動して風量を自動的に上昇させるものである。
【００６１】
前記は一例として温度制御パターンにおいて温度パターンを「１」に設定した場合について説明したが、これは、送風装置２を運転する状況に応じて、温度パターンは「１」〜「５」を任意に選択することにより、その温度パターンに応じた風量が得られることは、図６（ｂ）に示す如く明瞭に判明するものである。このように、畜舎の送風装置２を運転する場合、前記のように、畜舎の環境を把握し、それに基づき送風装置２の風量を設定すれば、畜舎内の環境は家畜の飼育に適した状態に容易に維持することができる。
【００６２】
また、畜舎内の一部に家畜が収容されていない場合とか、あるいは、床面が濡れているような場合（この部位には家畜がいない場合）においては、特定の部位に位置する送風装置２の風量を他に比べ多くしたり、逆に、少なくするような場合は、送風装置２を個別制御運転を選択し、前記特定の部位に配設した送風装置２のみを他の部位の送風装置２に比べ風量を多くしたり、少なくするように設定キー２ｄ1，２ｄ2を用いて制御すれば、畜舎内の送風装置２は、配設場所が異なる毎に風量を自由に選択しての送風が行えるので、畜舎内の通風，換気等を良好に維持できることはもとより、家畜のいない部位の送風装置２の停止に際しては、その送風装置２を間引運転制御手段を活用して間引運転を励行させることにより、不必要な送風装置２の運転を行う必要は全くないので、畜舎の飼育環境を効率的に、かつ、省エネ効果により経済的に維持できるため、家畜を快適な環境下で経済的に飼育を行うことができる駆動制御装置の提供が可能となる。
【００６３】
【発明の効果】
本発明は以上説明したように、前記複数の送風装置を畜舎の温度や環境条件に対応して回転数を任意に可変設定することができることはもとより、複数の送風装置において、送風を不要とする送風装置においては、事前にコントローラを操作することにより、即ち、回転を必要とする送風装置のみを駆動させるようにした間引運転制御手段が具備されているため、複数の送風装置はコントローラの操作時、送風を必要とする送風装置のみを駆動させて畜舎を所要の環境条件に維持させて家畜の飼育ができるので、複数の送風装置を家畜の飼育に適した風量で円滑・良好に、かつ、効率的に、しかも、省エネルギーにより経済的に駆動制御することができるという実用上優れた効果を有するものである。
【図面の簡単な説明】
【図１】本発明の駆動制御装置を具備した送風装置の配置状況の一例を示す概略構成図である。
【図２】本発明の送風装置の駆動制御装置に使用するコントローラを概略的に示すブロック図である。
【図３】操作盤の操作部を示す正面図である。
【図４】本発明装置の駆動制御動作を概略的に説明するフローチャート図である。
【図５】温暖地で使用する温度制御パターンの一例を示すもので、（ａ）はパターン選択表を示し、（ｂ）は温度と回転数の関係を示すパターン図である。
【図６】寒冷地で使用する温度制御パターンの一例を示すもので、（ａ）はパターン選択表を示し、（ｂ）は温度と回転数の関係を示すパターン図である。
【図７】温度制御パターンに間引運転機能を具備した例を示すもので、（ａ）はパターン選択表を示し、（ｂ）は温度と回転数の関係を示すパターン図である。
【符号の説明】
２  送風装置
３  電動機
４  送風ファン
６  操作盤
７  コントローラ
８  操作部
２ａ  運転／停止スイッチ
２ｂ  一括／個別切替スイッチ
２ｃ  自動／手動切替スイッチ
２ｄ1，２ｄ2  設定キー
２ｅ  確定キー
２ｆ  表示ランプ（風量レベル）
２ｇ  表示ランプ（温度制御パターン）
２ｈ  表示器
２ｉ  間引設定キー
【図１】
2004204744.tif 000003
【図２】
2004204744.tif 000004
【図３】
2004204744.tif 000005
【図４】
2004204744.tif 000006
【図５】
2004204744.tif 000007
【図６】
2004204744.tif 000008
【図７】
2004204744.tif 000009